【手続補正書】
【提出日】平成18年1月20日(2006.1.20)
【手続補正１】
【補正対象書類名】明細書
【補正対象項目名】特許請求の範囲
【補正方法】変更
【補正の内容】
【特許請求の範囲】
【請求項１】  各々が第１の側部端、第２の側部端および反射表面を有する複数の壁を備える建築構造体であって、該複数の壁は、少なくとも３つの壁を備え、ここで、該複数の壁が互いに隣接して配置され、該壁のうちの隣接する壁の該第２の側部端と隣接する各壁の該第１の側部端は、該建築構造の内部空間を規定し、該反射表面は該内部空間に面し、そして、ここで該壁の各々は複数の平面の結合した平面として存在し、該複数の結合した平面は共通の頂部で交差し、そして、ここで、該壁は、特定の形状を有し、そして該反射表面において明確な多面空間の像を形成するように、互いに対して配置される、建築構造体。
【請求項２】  前記反射壁の少なくとも１つが、前記建築構造体にアクセスするための開口部を規定する、請求項１に記載の建築構造体。
【請求項３】  前記反射壁の各々が、基部端をさらに備え、該基部端は、前記建築構造体を表面上に支持するための、支持基部を形成する、請求項１に記載の建築構造体。
【請求項４】  前記支持基部内に配置された床構造をさらに備える、請求項３に記載の建築構造体。
【請求項５】  前記床構造が、前記建築構造体にアクセスするための開口部を規定する、請求項４に記載の建築構造体。
【請求項６】  前記床構造が反射性である、請求項４に記載の建築構造体。
【請求項７】  前記複数の反射壁が、３つの壁を備える、請求項１に記載の建築構造体。
【請求項８】  前記複数の反射壁の各々が類似の形状のものである、請求項７に記載の建築構造体。
【請求項９】  前記複数の反射壁が、４つの壁を備える、請求項１に記載の建築構造体。
【請求項１０】  前記複数の反射壁の各々が類似の形状のものである、請求項９に記載の建築構造体。
【請求項１１】  前記複数の反射壁が、５つの壁を備える、請求項１に記載の建築構造体。
【請求項１２】  前記複数の反射壁の各々が類似の形状のものである、請求項１１に記載の建築構造体。
【請求項１３】  前記反射壁の少なくとも１つが切頭されている、請求項１に記載の建築構造体。
【請求項１４】  前記反射壁の少なくとも１つが前記頂部に対向する基部端をさらに備え；そして前記反射壁の少なくとも１つが前記基部端と前記側部端の１つとの間に形成される角度にわたって切頭されている、請求項１３に記載の建築構造体。
【請求項１５】  前記切頭部が前記建築構造体へのアクセスのための開口部を規定する、請求項１４に記載の建築構造体。
【請求項１６】  前記反射壁の少なくとも１つが前記第１の側部端と前記第２の側部端との間に形成された角にわたって切頭されている、請求項１３に記載の建築構造体。
【請求項１７】  前記建築構造体の内部内に配置されたオーナメンタル構造体群をさらに備える、請求項１に記載の建築構造体。
【請求項１８】  前記オーナメンタル構造体群が、以下からなる群より選択される、請求項１７に記載の建築構造体：
（Ａ）複数のイルミネーションデバイス、（Ｂ）少なくとも１つの前記反射壁の前記第１の側部端に沿って配置されたエレメント、（Ｃ）少なくとも１つの前記反射壁の前記反射表面上に配置された伸長型エレメントであって、該第１の側部端から前記第２の側部端に、前記基部端に平行に伸びる、エレメント、（Ｄ）前記頂部から吊り下げられたエレメント、および（Ｅ）前記オーナメンタル構造体群が、一対の隣接する壁の間に形成された角度の平面二等分線に関して対称的に配置されている、オーナメンタル構造体群。
【請求項１９】  前記オーナメンタル構造体群が（Ｃ）を備え、そして前記伸長型エレメントが前記少なくとも１つの反射壁の前記基部端に沿って配置されている、請求項１８に記載の建築構造体。
【請求項２０】  前記反射壁の少なくとも１つが前記第１の側部端と前記第２の側部端の間に形成された角度にわたって切頭され、前記オーナメンタル構造体群が該切頭によって作製された開口内に配置された頂部キャップ壁から吊り下げられたエレメントを備える、請求項１７に記載の建築構造体。
【請求項２１】  前記反射壁が鏡を備える、請求項１に記載の建築構造体。
【請求項２２】  前記複数の反射壁が、以下からなる群より選択される角度を形成する、請求項７に記載の建築構造体：
（Ａ）該複数の反射壁のうちの第１の反射壁の前記第１の側部端と前記第２の側部端とが、約１０９°の角度を形成し；
該複数の反射壁のうちの第２の反射壁の該第１の側部端と該第２の側部端とが、約１０９°の角度を形成し；そして
該複数の反射壁のうちの第３の反射壁の該第１の側部端と該第２の側部端とが、約１０９°の角度を形成する、角度；
（Ｂ）該複数の反射壁のうちの第１の反射壁の該第１の側部端と該第２の側部端とが、約１０９°の角度を形成し；
該複数の反射壁のうちの第２の反射壁の該第１の側部端と該第２の側部端とが、約７１°の角度を形成し；そして
該複数の反射壁のうちの第３の反射壁の該第１の側部端と該第２の側部端とが、約７１°の角度を形成する、角度；
（Ｃ）該複数の反射壁のうちの第１の反射壁の該第１の側部端と該第２の側部端とが、約５５°の角度を形成し；
該複数の反射壁のうちの第２の反射壁の該第１の側部端と該第２の側部端とが、約５５°の角度を形成し；そして
該複数の反射壁のうちの第３の反射壁の該第１の側部端と該第２の側部端とが、約７１°の角度を形成する、角度；
（Ｄ）該複数の反射壁のうちの第１の反射壁の該第１の側部端と該第２の側部端とが、約９０°の角度を形成し；
該複数の反射壁のうちの第２の反射壁の該第１の側部端と該第２の側部端とが、約９０°の角度を形成し；そして
該複数の反射壁のうちの第３の反射壁の該第１の側部端と該第２の側部端とが、約９０°の角度を形成する、角度；
（Ｅ）該複数の反射壁のうちの第１の反射壁の該第１の側部端と該第２の側部端とが、約９０°の角度を形成し；
該複数の反射壁のうちの第２の反射壁の該第１の側部端と該第２の側部端とが、約９０°の角度を形成し；そして
該複数の反射壁のうちの第３の反射壁の該第１の側部端と該第２の側部端とが、約４５°の角度を形成する、角度；
（Ｆ）該複数の反射壁のうちの第１の反射壁の該第１の側部端と該第２の側部端とが、約５５°の角度を形成し；
該複数の反射壁のうちの第２の反射壁の該第１の側部端と該第２の側部端とが、約３５°の角度を形成し；そして
該複数の反射壁のうちの第３の反射壁の該第１の側部端と該第２の側部端とが、約４５°の角度を形成する、角度；
（Ｇ）該複数の反射壁のうちの第１の反射壁の該第１の側部端と該第２の側部端とが、約５５°の角度を形成し；
該複数の反射壁のうちの第２の反射壁の該第１の側部端と該第２の側部端とが、約５５°の角度を形成し；そして
該複数の反射壁のうちの第３の反射壁の該第１の側部端と該第２の側部端とが、約９０°の角度を形成する、角度；
（Ｈ）該複数の反射壁のうちの第１の反射壁の該第１の側部端と該第２の側部端とが、約３７°の角度を形成し；
該複数の反射壁のうちの第２の反射壁の該第１の側部端と該第２の側部端とが、約３２°の角度を形成し；そして
該複数の反射壁のうちの第３の反射壁の該第１の側部端と該第２の側部端とが、約２１°の角度を形成する、角度；
（Ｉ）該複数の反射壁のうちの第１の反射壁の該第１の側部端と該第２の側部端とが、約３７°の角度を形成し；
該複数の反射壁のうちの第２の反射壁の該第１の側部端と該第２の側部端とが、約３７°の角度を形成し；そして
該複数の反射壁のうちの第３の反射壁の該第１の側部端と該第２の側部端とが、約４２°の角度を形成する、角度；
（Ｊ）該複数の反射壁のうちの第１の反射壁の該第１の側部端と該第２の側部端とが、約６３°の角度を形成し；
該複数の反射壁のうちの第２の反射壁の該第１の側部端と該第２の側部端とが、約６３°の角度を形成し；そして
該複数の反射壁のうちの第３の反射壁の該第１の側部端と該第２の側部端とが、約６３°の角度を形成する、角度；ならびに
（Ｋ）該複数の反射壁のうちの第１の反射壁の該第１の側部端と該第２の側部端とが、約３７°の角度を形成し；
該複数の反射壁のうちの第２の反射壁の該第１の側部端と該第２の側部端とが、約３７°の角度を形成し；そして
該複数の反射壁のうちの第３の反射壁の該第１の側部端と該第２の側部端とが、約６３°の角度を形成する、角度。
【請求項２３】  前記複数の反射壁が、（Ａ）に記載の角度を形成する建築構造体であって、ここで：
該複数の反射壁のうちの前記第１の反射壁と該複数の反射壁のうちの前記第２の反射壁とが、約１２０°の立体角を形成し；
該複数の反射壁のうちの該第２の反射壁と該複数の反射壁のうちの前記第３の反射壁とが、約１２０°の立体角を形成し；そして
該複数の反射壁のうちの該第３の反射壁と該複数の反射壁のうちの該第１の反射壁とが、約１２０°の立体角を形成する、請求項２２に記載の建築構造体。
【請求項２４】  前記複数の反射壁が、（Ｂ）に記載の角度を形成する建築構造体であって、ここで：
該複数の反射壁のうちの前記第１の反射壁と該複数の反射壁のうちの前記第２の反射壁とが、約６０°の立体角を形成し；
該複数の反射壁のうちの該第２の反射壁と該複数の反射壁のうちの前記第３の反射壁とが、約１２０°の立体角を形成し；そして
該複数の反射壁のうちの該第３の反射壁と該複数の反射壁のうちの該第１の反射壁とが、約６０°の立体角を形成する、請求項２２に記載の建築構造体。
【請求項２５】  前記複数の反射壁が、（Ｃ）に記載の角度を形成する建築構造体であって、ここで：
該複数の反射壁のうちの前記第１の反射壁と該複数の反射壁のうちの前記第２の反射壁とが、約９０°の立体角を形成し；
該複数の反射壁のうちの該第２の反射壁と該複数の反射壁のうちの前記第３の反射壁とが、約６０°の立体角を形成し；そして
該複数の反射壁のうちの該第３の反射壁と該複数の反射壁のうちの該第１の反射壁とが、約６０°の立体角を形成する、請求項２２に記載の建築構造体。
【請求項２６】  前記複数の反射壁が、（Ｄ）に記載の角度を形成する建築構造体であって、ここで：
該複数の反射壁のうちの前記第１の反射壁と該複数の反射壁のうちの前記第２の反射壁とが、約９０°の立体角を形成し；
該複数の反射壁のうちの該第２の反射壁と該複数の反射壁のうちの前記第３の反射壁とが、約９０°の立体角を形成し；そして
該複数の反射壁のうちの該第３の反射壁と該複数の反射壁のうちの該第１の反射壁とが、約９０°の立体角を形成する、請求項２２に記載の建築構造体。
【請求項２７】  前記複数の反射壁が、（Ｅ）に記載の角度を形成する建築構造体であって、ここで：
該複数の反射壁のうちの前記第１の反射壁と該複数の反射壁のうちの前記第２の反射壁とが、約４５°の立体角を形成し；
該複数の反射壁のうちの該第２の反射壁と該複数の反射壁のうちの前記第３の反射壁とが、約９０°の立体角を形成し；そして
該複数の反射壁のうちの該第３の反射壁と該複数の反射壁のうちの該第１の反射壁とが、約９０°の立体角を形成する、請求項２２に記載の建築構造体。
【請求項２８】  前記複数の反射壁が、（Ｆ）に記載の角度を形成する建築構造体であって、ここで：
該複数の反射壁のうちの前記第１の反射壁と該複数の反射壁のうちの前記第２の反射壁とが、約６０°の立体角を形成し；
該複数の反射壁のうちの該第２の反射壁と該複数の反射壁のうちの前記第３の反射壁とが、約９０°の立体角を形成し；そして
該複数の反射壁のうちの該第３の反射壁と該複数の反射壁のうちの該第１の反射壁とが、約４５°の立体角を形成する、請求項２２に記載の建築構造体。
【請求項２９】  前記複数の反射壁が、（Ｇ）に記載の角度を形成する建築構造体であって、ここで：
該複数の反射壁のうちの前記第１の反射壁と該複数の反射壁のうちの前記第２の反射壁とが、約１２０°の立体角を形成し；
該複数の反射壁のうちの該第２の反射壁と該複数の反射壁のうちの前記第３の反射壁とが、約４５°の立体角を形成し；そして
該複数の反射壁のうちの該第３の反射壁と該複数の反射壁のうちの該第１の反射壁とが、約４５°の立体角を形成する、請求項２２に記載の建築構造体。
【請求項３０】  前記複数の反射壁が、（Ｈ）に記載の角度を形成する建築構造体であって、ここで：
該複数の反射壁のうちの前記第１の反射壁と該複数の反射壁のうちの前記第２の反射壁とが、約３６°の立体角を形成し；
該複数の反射壁のうちの該第２の反射壁と該複数の反射壁のうちの前記第３の反射壁とが、約９０°の立体角を形成し；そして
該複数の反射壁のうちの該第３の反射壁と該複数の反射壁のうちの該第１の反射壁とが、約６０°の立体角を形成する、請求項２２に記載の建築構造体。
【請求項３１】  前記複数の反射壁が、（Ｉ）に記載の角度を形成する建築構造体であって、ここで：
該複数の反射壁のうちの前記第１の反射壁と該複数の反射壁のうちの前記第２の反射壁とが、約７２°の立体角を形成し；
該複数の反射壁のうちの該第２の反射壁と該複数の反射壁のうちの前記第３の反射壁とが、約６０°の立体角を形成し；そして
該複数の反射壁のうちの該第３の反射壁と該複数の反射壁のうちの該第１の反射壁とが、約６０°の立体角を形成する、請求項２２に記載の建築構造体。
【請求項３２】  前記複数の反射壁が、（Ｊ）に記載の角度を形成する建築構造体であって、ここで：
該複数の反射壁のうちの前記第１の反射壁と該複数の反射壁のうちの前記第２の反射壁とが、約７２°の立体角を形成し；
該複数の反射壁のうちの該第２の反射壁と該複数の反射壁のうちの前記第３の反射壁とが、約７２°の立体角を形成し；そして
該複数の反射壁のうちの該第３の反射壁と該複数の反射壁のうちの該第１の反射壁とが、約７２°の立体角を形成する、請求項２２に記載の建築構造体。
【請求項３３】  前記複数の反射壁が、（Ｋ）に記載の角度を形成する建築構造体であって、ここで：
該複数の反射壁のうちの前記第１の反射壁と該複数の反射壁のうちの前記第２の反射壁とが、約１２０°の立体角を形成し；
該複数の反射壁のうちの該第２の反射壁と該複数の反射壁のうちの前記第３の反射壁とが、約３６°の立体角を形成し；そして
該複数の反射壁のうちの該第３の反射壁と該複数の反射壁のうちの該第１の反射壁とが、約３６°の立体角を形成する、請求項２２に記載の建築構造体。
【請求項３４】  前記複数の反射壁が、以下からなる群より選択される角度を形成する、請求項９に記載の建築構造体：
（Ａ）該複数の反射壁のうちの第１の反射壁の前記第１の側部端と前記第２の側部端とが、約５５°の角度を形成し；
該複数の反射壁のうちの第２の反射壁の該第１の側部端と該第２の側部端とが、約５５°の角度を形成し；
該複数の反射壁のうちの第３の反射壁の該第１の側部端と該第２の側部端とが、約５５°の角度を形成し；そして
該複数の反射壁のうちの第４の反射壁の該第１の側部端と該第２の側部端とが、約５５°の角度を形成する、角度；
（Ｂ）該複数の反射壁のうちの第１の反射壁の該第１の側部端と該第２の側部端とが、約７１°の角度を形成し；
該複数の反射壁のうちの第２の反射壁の該第１の側部端と該第２の側部端とが、約７１°の角度を形成し；
該複数の反射壁のうちの第３の反射壁の該第１の側部端と該第２の側部端とが、約７１°の角度を形成し；そして
該複数の反射壁のうちの第４の反射壁の該第１の側部端と該第２の側部端とが、約７１°の角度を形成する、角度；
（Ｃ）該複数の反射壁のうちの第１の反射壁の該第１の側部端と該第２の側部端とが、約４５°の角度を形成し；
該複数の反射壁のうちの第２の反射壁の該第１の側部端と該第２の側部端とが、約３５°の角度を形成し；
該複数の反射壁のうちの第３の反射壁の該第１の側部端と該第２の側部端とが、約３５°の角度を形成し；そして
該複数の反射壁のうちの第４の反射壁の該第１の側部端と該第２の側部端とが、約４５°の角度を形成する、角度；
（Ｄ）該複数の反射壁のうちの第１の反射壁の該第１の側部端と該第２の側部端とが、約２１°の角度を形成し；
該複数の反射壁のうちの第２の反射壁の該第１の側部端と該第２の側部端とが、約３２°の角度を形成し；
該複数の反射壁のうちの第３の反射壁の該第１の側部端と該第２の側部端とが、約３２°の角度を形成し；そして
該複数の反射壁のうちの第４の反射壁の該第１の側部端と該第２の側部端とが、約２１°の角度を形成する、角度；ならびに
（Ｅ）該複数の反射壁のうちの第１の反射壁の該第１の側部端と該第２の側部端とが、約３７°の角度を形成し；
該複数の反射壁のうちの第２の反射壁の該第１の側部端と該第２の側部端とが、約３７°の角度を形成し；
該複数の反射壁のうちの第３の反射壁の該第１の側部端と該第２の側部端とが、約３７°の角度を形成し；そして
該複数の反射壁のうちの第４の反射壁の該第１の側部端と該第２の側部端とが、約３７°の角度を形成する、角度。
【請求項３５】  前記複数の反射壁が、（Ａ）に記載の角度を形成する建築構造体であって、ここで：
該複数の反射壁のうちの前記第１の反射壁と該複数の反射壁のうちの前記第２の反射壁とが、約１２０°の立体角を形成し；
該複数の反射壁のうちの該第２の反射壁と該複数の反射壁のうちの前記第３の反射壁とが、約９０°の立体角を形成し；
該複数の反射壁のうちの該第３の反射壁と該複数の反射壁のうちの前記第４の反射壁とが、約１２０°の立体角を形成し；そして
該複数の反射壁のうちの該第４の反射壁と該複数の反射壁のうちの該第１の反射壁とが、約９０°の立体角を形成する、請求項３４に記載の建築構造体。
【請求項３６】  前記複数の反射壁が、（Ｂ）に記載の角度を形成する建築構造体であって、ここで：
該複数の反射壁のうちの前記第１の反射壁と該複数の反射壁のうちの前記第２の反射壁とが、約１２０°の立体角を形成し；
該複数の反射壁のうちの該第２の反射壁と該複数の反射壁のうちの前記第３の反射壁とが、約１２０°の立体角を形成し；
該複数の反射壁のうちの該第３の反射壁と該複数の反射壁のうちの前記第４の反射壁とが、約１２０°の立体角を形成し；そして
該複数の反射壁のうちの該第４の反射壁と該複数の反射壁のうちの該第１の反射壁とが、約１２０°の立体角を形成する、請求項３４に記載の建築構造体。
【請求項３７】  前記複数の反射壁が、（Ｃ）に記載の角度を形成する建築構造体であって、ここで：
該複数の反射壁のうちの前記第１の反射壁と該複数の反射壁のうちの前記第２の反射壁とが、約９０°の立体角を形成し；
該複数の反射壁のうちの該第２の反射壁と該複数の反射壁のうちの前記第３の反射壁とが、約１２０°の立体角を形成し；
該複数の反射壁のうちの該第３の反射壁と該複数の反射壁のうちの前記第４の反射壁とが、約９０°の立体角を形成し；そして
該複数の反射壁のうちの該第４の反射壁と該複数の反射壁のうちの該第１の反射壁とが、約９０°の立体角を形成する、請求項３４に記載の建築構造体。
【請求項３８】  前記複数の反射壁が、（Ｄ）に記載の角度を形成する建築構造体であって、ここで：
該複数の反射壁のうちの前記第１の反射壁と該複数の反射壁のうちの前記第２の反射壁とが、約９０°の立体角を形成し；
該複数の反射壁のうちの該第２の反射壁と該複数の反射壁のうちの前記第３の反射壁とが、約７２°の立体角を形成し；
該複数の反射壁のうちの該第３の反射壁と該複数の反射壁のうちの前記第４の反射壁とが、約９０°の立体角を形成し；そして
該複数の反射壁のうちの該第４の反射壁と該複数の反射壁のうちの該第１の反射壁とが、約１２０°の立体角を形成する、請求項３４に記載の建築構造体。
【請求項３９】  前記複数の反射壁が、（Ｅ）に記載の角度を形成する建築構造体であって、ここで：
該複数の反射壁のうちの前記第１の反射壁と該複数の反射壁のうちの前記第２の反射壁とが、約１２０°の立体角を形成し；
該複数の反射壁のうちの該第２の反射壁と該複数の反射壁のうちの前記第３の反射壁とが、約７２°の立体角を形成し；
該複数の反射壁のうちの該第３の反射壁と該複数の反射壁のうちの前記第４の反射壁とが、約１２０°の立体角を形成し；そして
該複数の反射壁のうちの該第４の反射壁と該複数の反射壁のうちの該第１の反射壁とが、約７２°の立体角を形成する、請求項３４に記載の建築構造体。
【請求項４０】  請求項１１に記載の建築構造体であって：
前記複数の反射壁のうちの第１の反射壁の前記第１の側部端と前記第２の側部端とが、約４２°の角度を形成し；
該複数の反射壁のうちの第２の反射壁の該第１の側部端と該第２の側部端とが、約４２°の角度を形成し；
該複数の反射壁のうちの第３の反射壁の該第１の側部端と該第２の側部端とが、約４２°の角度を形成し；
該複数の反射壁のうちの第４の反射壁の該第１の側部端と該第２の側部端とが、約４２°の角度を形成し；そして
該複数の反射壁のうちの第５の反射壁の該第１の側部端と該第２の側部端とが、約４２°の角度を形成する、建築構造体。
【請求項４１】  請求項４０に記載の建築構造体であって：
前記複数の反射壁のうちの前記第１の反射壁と該複数の反射壁のうちの前記第２の反射壁とが、約１２０°の立体角を形成し；
該複数の反射壁のうちの該第２の反射壁と該複数の反射壁のうちの前記第３の反射壁とが、約１２０°の立体角を形成し；
該複数の反射壁のうちの該第３の反射壁と該複数の反射壁のうちの前記第４の反射壁とが、約１２０°の立体角を形成し；
該複数の反射壁のうちの該第４の反射壁と該複数の反射壁のうちの前記第５の反射壁とが、約１２０°の立体角を形成し；そして
該複数の反射壁のうちの該第５の反射壁と該複数の反射壁のうちの該第１の反射壁とが、約１２０°の立体角を形成する、建築構造体。
【請求項４２】  各々が第１の側部端、第２の側部端および反射表面を有する複数の壁を備える建築構造体であって、該複数の壁は、少なくとも３つの壁を備え、ここで、該複数の壁が互いに隣接して配置され、該壁のうちの隣接する壁の該第２の側部端に隣接する各壁の該第１の側部端は該構造体の内部空間を規定し、該反射表面は該内部空間に面し、そしてここで、該壁の各々は、複数の平面の１つに結合した平面として存在し、該複数の結合した平面は、少なくとも２つの該平面がそれらの間に非垂直の角度を形成する共通の頂部で交差し、そしてここで、該壁は、特定の形状を有し、そして該反射表面において明確な多面空間の像を形成するように、互いに対して配置される、建築構造体。
【請求項４３】  前記反射壁の各々が、基部端をさらに備え、該基部端は、該内部空間へのアクセスを提供するための基部開口部を規定する、請求項４２に記載の構造体。
【請求項４４】  前記内部空間内に配置された装飾用物品をさらに備える、請求項４３に記載の構造体。
【請求項４５】  前記装飾用物品が前記反射表面の１つに固定されている、請求項４４に記載の構造体。
【請求項４６】  前記装飾用物品を前記壁の１つに固定するための磁気保持装置をさらに備える、請求項４５に記載の構造体。
【請求項４７】  前記装飾用物品が該壁の１つにかかっている、請求項４４に記載される構造体。
【請求項４８】  前記内部空間内に配置されたオーナメンタル構造体群をさらに備える、請求項４４に記載の構造体。
【請求項４９】  前記オーナメンタル構造体群が、少なくとも１つの発光デバイスを備える、請求項４８に記載の構造体。
【請求項５０】  前記少なくとも１つの発光デバイスが、複数の発光デバイスを備え、特定の群の該発光デバイスに選択的にエネルギーを与えるためのコントロールユニットをさらに備える、請求項４９に記載の構造体。
【請求項５１】  前記コントロールユニットが、特定の群の前記発光デバイスにエネルギーを与えるためにプログラム可能であり、前記エネルギーを与えられた群の発光デバイスが、前記反射表面において明確な構造体の像を形成する、請求項５０に記載の構造体。
【請求項５２】  前記基部開口部の少なくとも一部をカバーするための基部カバーをさらに備える、請求項４３に記載の構造体。
【請求項５３】  前記基部開口部の少なくとも一部をカバーするための前記基部カバーが、以下からなる群より選択される、請求項５２に記載の構造体：（Ａ）該基部カバーが、前記内部空間への視覚的なアクセスを提供するための孔を規定する；（Ｂ）該基部カバーの少なくとも一部が、透明な材料から形成されている；および（Ｃ）該基部カバーが取り外し可能である。
【請求項５４】  （Ｂ）に記載の前記基部開口部の少なくとも一部をカバーするための前記基部カバーであって、該基部カバーが該基部カバーの透明な部分に作製されたデザインを備える、請求項５３に記載の構造体。
【請求項５５】  前記構造体による仮想像の形成を記載する説明書をさらに備える、請求項４３に記載の構造体。
【請求項５６】  前記内部空間内に配置された装飾用物品をさらに備え、そして前記説明書が前記装飾用物品およびそこから生じる形成された像の特定の配置を記載する、請求項５５に記載の構造体。
【請求項５７】  前記基部開口部の少なくとも一部をカバーするための基部カバーをさらに備え、そして前記説明書が前記構造体による前記基部カバーからの明確な仮想多面体の形成を記載する、請求項５５に記載の構造体。
【請求項５８】  光源をさらに備え、それによって前記構造体がランプとして使用可能である、請求項４２に記載の構造体。
【請求項５９】  前記構造体がその頂部にわたり切頭されており、そして前記光源が前記構造体の外側に配置され、該切頭を介して光を放出する、請求項５８に記載の構造体。
【請求項６０】  前記光源が前記構造体の内部空間内に配置されている、請求項５８に記載の構造体。
【請求項６１】  前記内部空間を頂部部分と基部部分に分割するために前記構造体内に配置されたディフューザーをさらに備え、そしてここで前記光源が該頂部部分内に配置されている、請求項５８に記載の構造体。
【請求項６２】
前記複数の壁が、以下からなる群より選択される角度を形成する、請求項１に記載の構造体：
（Ａ）前記複数の反射壁のうちの第１の反射壁の前記第１の側部端と前記第２の側部端とが、約１０９°の角度を形成し；
該複数の反射壁のうちの第２の反射壁の該第１の側部端と該第２の側部端とが、約１０９°の角度を形成し；そして
該複数の反射壁のうちの第３の反射壁の該第１の側部端と該第２の側部端とが、約１０９°の角度を形成する、角度；
（Ｂ）該複数の反射壁のうちの第１の反射壁の該第１の側部端と該第２の側部端とが、約１０９°の角度を形成し；
該複数の反射壁のうちの第２の反射壁の該第１の側部端と該第２の側部端とが、約７１°の角度を形成し；そして
該複数の反射壁のうちの第３の反射壁の該第１の側部端と該第２の側部端とが、約７１°の角度を形成する、角度；
（Ｃ）該複数の反射壁のうちの第１の反射壁の該第１の側部端と該第２の側部端とが、約５５°の角度を形成し；
該複数の反射壁のうちの第２の反射壁の該第１の側部端と該第２の側部端とが、約５５°の角度を形成し；そして
該複数の反射壁のうちの第３の反射壁の該第１の側部端と該第２の側部端とが、約７１°の角度を形成する、角度；
（Ｄ）該複数の反射壁のうちの第１の反射壁の該第１の側部端と該第２の側部端とが、約９０°の角度を形成し；
該複数の反射壁のうちの第２の反射壁の該第１の側部端と該第２の側部端とが、約９０°の角度を形成し；そして
該複数の反射壁のうちの第３の反射壁の該第１の側部端と該第２の側部端とが、約４５°の角度を形成する、角度；
（Ｅ）該複数の反射壁のうちの第１の反射壁の該第１の側部端と該第２の側部端とが、約５５°の角度を形成し；
該複数の反射壁のうちの第２の反射壁の該第１の側部端と該第２の側部端とが、約３５°の角度を形成し；そして
該複数の反射壁のうちの第３の反射壁の該第１の側部端と該第２の側部端とが、約４５°の角度を形成する、角度；
（Ｆ）該複数の反射壁のうちの第１の反射壁の該第１の側部端と該第２の側部端とが、約５５°の角度を形成し；
該複数の反射壁のうちの第２の反射壁の該第１の側部端と該第２の側部端とが、約５５°の角度を形成し；そして
該複数の反射壁のうちの第３の反射壁の該第１の側部端と該第２の側部端とが、約９０°の角度を形成する、角度；
（Ｇ）該複数の反射壁のうちの第１の反射壁の該第１の側部端と該第２の側部端とが、約３７°の角度を形成し；
該複数の反射壁のうちの第２の反射壁の該第１の側部端と該第２の側部端とが、約３２°の角度を形成し；そして
該複数の反射壁のうちの第３の反射壁の該第１の側部端と該第２の側部端とが、約２１°の角度を形成する、角度；
（Ｈ）該複数の反射壁のうちの第１の反射壁の該第１の側部端と該第２の側部端とが、約３７°の角度を形成し；
該複数の反射壁のうちの第２の反射壁の該第１の側部端と該第２の側部端とが、約３７°の角度を形成し；そして
該複数の反射壁のうちの第３の反射壁の該第１の側部端と該第２の側部端とが、約４２°の角度を形成する、角度；
（Ｉ）該複数の反射壁のうちの第１の反射壁の該第１の側部端と該第２の側部端とが、約６３°の角度を形成し；
該複数の反射壁のうちの第２の反射壁の該第１の側部端と該第２の側部端とが、約６３°の角度を形成し；そして
該複数の反射壁のうちの第３の反射壁の該第１の側部端と該第２の側部端とが、約６３°の角度を形成する、角度；
（Ｊ）該複数の反射壁のうちの第１の反射壁の該第１の側部端と該第２の側部端とが、約３７°の角度を形成し；
該複数の反射壁のうちの第２の反射壁の該第１の側部端と該第２の側部端とが、約３７°の角度を形成し；そして
該複数の反射壁のうちの第３の反射壁の該第１の側部端と該第２の側部端とが、約６３°の角度を形成する、角度；
（Ｋ）該複数の反射壁のうちの第１の反射壁の該第１の側部端と該第２の側部端とが、約５５°の角度を形成し；
該複数の反射壁のうちの第２の反射壁の該第１の側部端と該第２の側部端とが、約５５°の角度を形成し；
該複数の反射壁のうちの第３の反射壁の該第１の側部端と該第２の側部端とが、約５５°の角度を形成し；そして
該複数の反射壁のうちの第４の反射壁の該第１の側部端と該第２の側部端とが、約５５°の角度を形成する、角度；
（Ｌ）該複数の反射壁のうちの第１の反射壁の該第１の側部端と該第２の側部端とが、約７１°の角度を形成し；
該複数の反射壁のうちの第２の反射壁の該第１の側部端と該第２の側部端とが、約７１°の角度を形成し；
該複数の反射壁のうちの第３の反射壁の該第１の側部端と該第２の側部端とが、約７１°の角度を形成し；そして
該複数の反射壁のうちの第４の反射壁の該第１の側部端と該第２の側部端とが、約７１°の角度を形成する、角度；
（Ｍ）該複数の反射壁のうちの第１の反射壁の該第１の側部端と該第２の側部端とが、約４５°の角度を形成し；
該複数の反射壁のうちの第２の反射壁の該第１の側部端と該第２の側部端とが、約３５°の角度を形成し；
該複数の反射壁のうちの第３の反射壁の該第１の側部端と該第２の側部端とが、約３５°の角度を形成し；そして
該複数の反射壁のうちの第４の反射壁の該第１の側部端と該第２の側部端とが、約４５°の角度を形成する、角度；
（Ｎ）該複数の反射壁のうちの第１の反射壁の該第１の側部端と該第２の側部端とが、約２１°の角度を形成し；
該複数の反射壁のうちの第２の反射壁の該第１の側部端と該第２の側部端とが、約３２°の角度を形成し；
該複数の反射壁のうちの第３の反射壁の該第１の側部端と該第２の側部端とが、約３２°の角度を形成し；そして
該複数の反射壁のうちの第４の反射壁の該第１の側部端と該第２の側部端とが、約２１°の角度を形成する、角度；
（Ｏ）該複数の反射壁のうちの第１の反射壁の該第１の側部端と該第２の側部端とが、約３７°の角度を形成し；
該複数の反射壁のうちの第２の反射壁の該第１の側部端と該第２の側部端とが、約３７°の角度を形成し；
該複数の反射壁のうちの第３の反射壁の該第１の側部端と該第２の側部端とが、約３７°の角度を形成し；そして
該複数の反射壁のうちの第４の反射壁の該第１の側部端と該第２の側部端とが、約３７°の角度を形成する、角度；ならびに
（Ｐ）該複数の反射壁のうちの第１の反射壁の該第１の側部端と該第２の側部端とが、約４２°の角度を形成し；
該複数の反射壁のうちの第２の反射壁の該第１の側部端と該第２の側部端とが、約４２°の角度を形成し；
該複数の反射壁のうちの第３の反射壁の該第１の側部端と該第２の側部端とが、約４２°の角度を形成し；
該複数の反射壁のうちの第４の反射壁の該第１の側部端と該第２の側部端とが、約４２°の角度を形成し；そして
該複数の反射壁のうちの第５の反射壁の該第１の側部端と該第２の側部端とが、約４２°の角度を形成する、角度。
【請求項６３】  前記複数の壁が、（Ａ）に記載の角度を形成する構造体であって、ここで：
前記複数の反射壁のうちの前記第１の反射壁と該複数の反射壁のうちの前記第２の反射壁とが、約１２０°の立体角を形成し；
該複数の反射壁のうちの該第２の反射壁と該複数の反射壁のうちの前記第３の反射壁とが、約１２０°の立体角を形成し；そして
該複数の反射壁のうちの該第３の反射壁と該複数の反射壁のうちの該第１の反射壁とが、約１２０°の立体角を形成する、請求項６２に記載の構造体。
【請求項６４】  前記複数の壁が、（Ｂ）に記載の角度を形成する構造体であって、ここで：
前記複数の反射壁のうちの前記第１の反射壁と該複数の反射壁のうちの前記第２の反射壁とが、約６０°の立体角を形成し；
該複数の反射壁のうちの該第２の反射壁と該複数の反射壁のうちの前記第３の反射壁とが、約１２０°の立体角を形成し；そして
該複数の反射壁のうちの該第３の反射壁と該複数の反射壁のうちの該第１の反射壁とが、約６０°の立体角を形成する、請求項６２に記載の構造体。
【請求項６５】  前記複数の壁が、（Ｃ）に記載の角度を形成する構造体であって、ここで：
前記複数の反射壁のうちの前記第１の反射壁と該複数の反射壁のうちの前記第２の反射壁とが、約９０°の立体角を形成し；
該複数の反射壁のうちの該第２の反射壁と該複数の反射壁のうちの前記第３の反射壁とが、約６０°の立体角を形成し；そして
該複数の反射壁のうちの該第３の反射壁と該複数の反射壁のうちの該第１の反射壁とが、約６０°の立体角を形成する、請求項６２に記載の構造体。
【請求項６６】  前記複数の壁が、（Ｄ）に記載の角度を形成する構造体であって、ここで：
前記複数の反射壁のうちの前記第１の反射壁と該複数の反射壁のうちの前記第２の反射壁とが、約４５°の立体角を形成し；
該複数の反射壁のうちの該第２の反射壁と該複数の反射壁のうちの前記第３の反射壁とが、約９０°の立体角を形成し；そして
該複数の反射壁のうちの該第３の反射壁と該複数の反射壁のうちの該第１の反射壁とが、約９０°の立体角を形成する、請求項６２に記載の構造体。
【請求項６７】  前記複数の壁が、（Ｅ）に記載の角度を形成する構造体であって、ここで：
前記複数の反射壁のうちの前記第１の反射壁と該複数の反射壁のうちの前記第２の反射壁とが、約６０°の立体角を形成し；
該複数の反射壁のうちの該第２の反射壁と該複数の反射壁のうちの前記第３の反射壁とが、約９０°の立体角を形成し；そして
該複数の反射壁のうちの該第３の反射壁と該複数の反射壁のうちの該第１の反射壁とが、約４５°の立体角を形成する、請求項６２に記載の構造体。
【請求項６８】  前記複数の壁が、（Ｆ）に記載の角度を形成する構造体であって、ここで：
前記複数の反射壁のうちの前記第１の反射壁と該複数の反射壁のうちの前記第２の反射壁とが、約１２０°の立体角を形成し；
該複数の反射壁のうちの該第２の反射壁と該複数の反射壁のうちの前記第３の反射壁とが、約４５°の立体角を形成し；そして
該複数の反射壁のうちの該第３の反射壁と該複数の反射壁のうちの該第１の反射壁とが、約４５°の立体角を形成する、請求項６２に記載の構造体。
【請求項６９】  前記複数の壁が、（Ｇ）に記載の角度を形成する構造体であって、ここで：
前記複数の反射壁のうちの前記第１の反射壁と該複数の反射壁のうちの前記第２の反射壁とが、約３６°の立体角を形成し；
該複数の反射壁のうちの該第２の反射壁と該複数の反射壁のうちの前記第３の反射壁とが、約９０°の立体角を形成し；そして
該複数の反射壁のうちの該第３の反射壁と該複数の反射壁のうちの該第１の反射壁とが、約６０°の立体角を形成する、請求項６２に記載の構造体。
【請求項７０】  前記複数の壁が、（Ｈ）に記載の角度を形成する構造体であって、ここで：
前記複数の反射壁のうちの前記第１の反射壁と該複数の反射壁のうちの前記第２の反射壁とが、約７２°の立体角を形成し；
該複数の反射壁のうちの該第２の反射壁と該複数の反射壁のうちの前記第３の反射壁とが、約６０°の立体角を形成し；そして
該複数の反射壁のうちの該第３の反射壁と該複数の反射壁のうちの該第１の反射壁とが、約６０°の立体角を形成する、請求項６２に記載の構造体。
【請求項７１】  前記複数の壁が、（Ｉ）に記載の角度を形成する構造体であって、ここで：
前記複数の反射壁のうちの前記第１の反射壁と該複数の反射壁のうちの前記第２の反射壁とが、約７２°の立体角を形成し；
該複数の反射壁のうちの該第２の反射壁と該複数の反射壁のうちの前記第３の反射壁とが、約７２°の立体角を形成し；そして
該複数の反射壁のうちの該第３の反射壁と該複数の反射壁のうちの該第１の反射壁とが、約７２°の立体角を形成する、請求項６２に記載の構造体。
【請求項７２】  前記複数の壁が、（Ｊ）に記載の角度を形成する構造体であって、ここで：
前記複数の反射壁のうちの前記第１の反射壁と該複数の反射壁のうちの前記第２の反射壁とが、約１２０°の立体角を形成し；
該複数の反射壁のうちの該第２の反射壁と該複数の反射壁のうちの前記第３の反射壁とが、約３６°の立体角を形成し；そして
該複数の反射壁のうちの該第３の反射壁と該複数の反射壁のうちの該第１の反射壁とが、約３６°の立体角を形成する、請求項６２に記載の構造体。
【請求項７３】  前記複数の壁が、（Ｋ）に記載の角度を形成する構造体であって、ここで：
前記複数の反射壁のうちの前記第１の反射壁と該複数の反射壁のうちの前記第２の反射壁とが、約１２０°の立体角を形成し；
該複数の反射壁のうちの該第２の反射壁と該複数の反射壁のうちの前記第３の反射壁とが、約９０°の立体角を形成し；
該複数の反射壁のうちの該第３の反射壁と該複数の反射壁のうちの前記第４の反射壁とが、約１２０°の立体角を形成し；そして
該複数の反射壁のうちの該第４の反射壁と該複数の反射壁のうちの該第１の反射壁とが、約９０°の立体角を形成する、請求項６２に記載の構造体。
【請求項７４】  前記複数の壁が、（Ｌ）に記載の角度を形成する構造体であって、ここで：
前記複数の反射壁のうちの前記第１の反射壁と該複数の反射壁のうちの前記第２の反射壁とが、約１２０°の立体角を形成し；
該複数の反射壁のうちの該第２の反射壁と該複数の反射壁のうちの前記第３の反射壁とが、約１２０°の立体角を形成し；
該複数の反射壁のうちの該第３の反射壁と該複数の反射壁のうちの前記第４の反射壁とが、約１２０°の立体角を形成し；そして
該複数の反射壁のうちの該第４の反射壁と該複数の反射壁のうちの該第１の反射壁とが、約１２０°の立体角を形成する、請求項６２に記載の構造体。
【請求項７５】  前記複数の壁が、（Ｍ）に記載の角度を形成する構造体であって、ここで：
前記複数の反射壁のうちの前記第１の反射壁と該複数の反射壁のうちの前記第２の反射壁とが、約９０°の立体角を形成し；
該複数の反射壁のうちの該第２の反射壁と該複数の反射壁のうちの前記第３の反射壁とが、約１２０°の立体角を形成し；
該複数の反射壁のうちの該第３の反射壁と該複数の反射壁のうちの前記第４の反射壁とが、約９０°の立体角を形成し；そして
該複数の反射壁のうちの該第４の反射壁と該複数の反射壁のうちの該第１の反射壁とが、約９０°の立体角を形成する、請求項６２に記載の構造体。
【請求項７６】  前記複数の壁が、（Ｎ）に記載の角度を形成する構造体であって、ここで：
前記複数の反射壁のうちの前記第１の反射壁と該複数の反射壁のうちの前記第２の反射壁とが、約９０°の立体角を形成し；
該複数の反射壁のうちの該第２の反射壁と該複数の反射壁のうちの前記第３の反射壁とが、約７２°の立体角を形成し；
該複数の反射壁のうちの該第３の反射壁と該複数の反射壁のうちの前記第４の反射壁とが、約９０°の立体角を形成し；そして
該複数の反射壁のうちの該第４の反射壁と該複数の反射壁のうちの該第１の反射壁とが、約１２０°の立体角を形成する、請求項６２に記載の構造体。
【請求項７７】  前記複数の壁が、（Ｏ）に記載の角度を形成する構造体であって、ここで：
前記複数の反射壁のうちの前記第１の反射壁と該複数の反射壁のうちの前記第２の反射壁とが、約１２０°の立体角を形成し；
該複数の反射壁のうちの該第２の反射壁と該複数の反射壁のうちの前記第３の反射壁とが、約７２°の立体角を形成し；
該複数の反射壁のうちの該第３の反射壁と該複数の反射壁のうちの前記第４の反射壁とが、約１２０°の立体角を形成し；そして
該複数の反射壁のうちの該第４の反射壁と該複数の反射壁のうちの該第１の反射壁とが、約７２°の立体角を形成する、請求項６２に記載の構造体。
【請求項７８】  前記複数の壁が、（Ｐ）に記載の角度を形成する構造体であって、ここで：
前記複数の反射壁のうちの上記第１の反射壁と該複数の反射壁のうちの上記第２の反射壁とが、約１２０°の立体角を形成し；
該複数の反射壁のうちの該第２の反射壁と該複数の反射壁のうちの上記第３の反射壁とが、約１２０°の立体角を形成し；
該複数の反射壁のうちの該第３の反射壁と該複数の反射壁のうちの上記第４の反射壁とが、約１２０°の立体角を形成し；
該複数の反射壁のうちの該第４の反射壁と該複数の反射壁のうちの上記第５の反射壁とが、約１２０°の立体角を形成し；そして
該複数の反射壁のうちの該第５の反射壁と該複数の反射壁のうちの該第１の反射壁とが、約１２０°の立体角を形成する、請求項６２に記載の構造体。
【請求項７９】  仮想多面空間を形成するための部屋であって、
各々が第１の側部端、第２の側部端および反射表面を備える複数の壁を備える部屋であり、該複数の壁は、少なくとも３つの壁を備え、ここで、該複数の壁が互いに隣接して配置され、該壁のうちの隣接する壁の該第２の側部端に隣接する各壁の該第１の側部端は前記建築構造体の内部空間を規定し、該反射表面は該内部空間に面し、そしてここで、該壁の各々は、複数の平面の結合した平面として存在し、該複数の結合した平面は共通の頂部で交差し、そしてここで、該壁は、特定の形状を有し、そして該反射表面において明確な多面空間の像を形成するように、互いに対して配置される、部屋。